(57)【要約】【課題】登録が完了していないにも関わらずカーシェア装置のイモビライザー機能を無効に切り替えてしまう状況を生じ難くすることができるカーシェアリングシステムを提供する。【解決手段】カーシェア装置３４は、カーシェア装置ＩＤ及びカーシェア装置固有鍵がイモビライザー通信を通じて照合ＥＣＵ９に登録されることにより、電子キーシステム４への登録が実行される。登録作業後、携帯端末３３で車両ドア１４のロック操作が行われると、携帯端末３３からカーシェア装置３４にロック要求が送信される。無効処理部６０は、このロック要求をトリガに車両ドア１４のロック作動が行われるとき、車内送信機１７から送信される送信電波Ｓｒを受信することができる（例えば室内スマート照合が成立する）と、登録作業が正常に完了していると判断し、カーシェア装置３４のイモビライザー機能を無効にする。【選択図】図１
2019012339.tif 000002
【特許請求の範囲】
【請求項１】
鍵情報を登録することでシェア車両の車両キーとして作動可能な携帯端末と、車載されたカーシェア装置との間で、無線を通じた前記鍵情報の認証を実行させ、ユーザにより車載機器の操作が行われたとき、認証完了状態となった前記カーシェア装置が、車載された電子キーシステムに対しＩＤ照合を経た通信を行うことにより、前記車載機器が作動するカーシェアリングシステムであって、
前記カーシェア装置を前記電子キーシステムに登録する登録作業後、この登録が正常に完了したことを確認できる処理を通じて、前記カーシェア装置のイモビライザー機能を無効にする無効処理部を備えた
ことを特徴とするカーシェアリングシステム。
【請求項２】
前記イモビライザー機能は、前記カーシェア装置を前記電子キーシステムに登録するときの登録作業で使用される
請求項１に記載のカーシェアリングシステム。
【請求項３】
登録作業は、前記カーシェア装置が前記携帯端末との通信時に使用する電子キーＩＤ及びキー固有鍵を、前記電子キーシステムの作動を制御する照合ＥＣＵにイモビライザー通信を通じて登録する作業である
請求項１又は２に記載のカーシェアリングシステム。
【請求項４】
作業者による登録端末での操作に応じたキー制御要求が当該登録端末から前記カーシェア装置に送信されて当該カーシェア装置が前記電子キーシステムを作動させるとき、前記電子キーシステムによるＩＤ照合時に当該電子キーシステムから送信される送信電波を確認する電波確認部を備え、
前記無効処理部は、前記送信電波を正しく受信できたと前記電波確認部により確認されれば、登録作業が正常に完了したと判断して、前記イモビライザー機能を無効にする
請求項１〜３のうちいずれか一項に記載のカーシェアリングシステム。
【請求項５】
前記キー制御要求は、車両ドアのロックを要求するロック要求である
請求項４に記載のカーシェアリングシステム。
【請求項６】
前記電子キーシステムは、車両電源の状態に応じた態様で前記送信電波を送信する
請求項４又は５に記載のカーシェアリングシステム。
【請求項７】
前記送信電波を監視して前記イモビライザー機能を無効にする一連の処理は、前記電子キーシステムが予め有する電子キー車内検知機能を利用して実行される
請求項４〜６のうちいずれか一項に記載のカーシェアリングシステム。
【発明の詳細な説明】
【技術分野】
【０００１】
本発明は、１台の車両を複数人で共有するカーシェアリングシステムに関する。
【背景技術】
【０００２】
従来、１台の車両を複数人で共有するカーシェアリングシステムが周知である（特許文献１，２等参照）。この種のカーシェアリングシステムでは、例えばカーシェア使用の登録を予め行っておき、例えば携帯端末（高機能携帯電話等）で車両予約を行った上で、予約時間内において車両の使用が許可される。
【先行技術文献】
【特許文献】
【０００３】
【特許文献１】特開２０１６−１１５０７７号公報
【特許文献２】特開２０１６−７１８３４号公報
【発明の概要】
【発明が解決しようとする課題】
【０００４】
ところで、この種のカーシェアリングシステムにおいては、電子キーの代わりとして作動可能なカーシェア装置を車両に搭載して、携帯端末及びカーシェア装置の間の通信を介し、カーシェア装置により電子キーシステムを作動させて車載機器を操作するものが検討されている。このシステム構成の場合、カーシェア装置を車両の電子キーシステムに登録する必要がある。この登録作業は、例えばカーシェア装置に設けられたイモビライザー機能を用い、イモビライザー通信を通じて行うことが想定される。
【０００５】
カーシェア装置を電子キーシステムに登録後、カーシェア装置のイモビライザー機能を有効のまま放置しておくと、これはセキュリティ上よくない。よって、登録作業後、カーシェア装置のイモビライザーを無効にしておくことが好ましいが、カーシェア装置は登録作業が正常に完了できたか否かを確認することができないので、登録作業後、無条件にイモビライザー機能を無効化してしまうと、再登録の作業が実行できず、カーシェア装置が無駄になってしまう問題があった。
【０００６】
本発明の目的は、登録が完了していないにも関わらずカーシェア装置のイモビライザー機能を無効に切り替えてしまう状況を生じ難くすることができるカーシェアリングシステムを提供することにある。
【課題を解決するための手段】
【０００７】
前記問題点を解決するカーシェアリングシステムは、鍵情報を登録することでシェア車両の車両キーとして作動可能な携帯端末と、車載されたカーシェア装置との間で、無線を通じた前記鍵情報の認証を実行させ、ユーザにより車載機器の操作が行われたとき、認証完了状態となった前記カーシェア装置が、車載された電子キーシステムに対しＩＤ照合を経た通信を行うことにより、前記車載機器が作動する構成であって、前記カーシェア装置を前記電子キーシステムに登録する登録作業後、この登録が正常に完了したことを確認できる処理を通じて、前記カーシェア装置のイモビライザー機能を無効にする無効処理部を備えた。
【０００８】
本構成によれば、カーシェア装置を車両の電子キーシステムに登録するにあたり、この登録が正常に完了したことを確認した上で、カーシェア装置のイモビライザー機能を無効化する。よって、登録が完了していないにも関わらずカーシェア装置のイモビライザー機能を無効に切り替えてしまう状況を生じ難くすることが可能となる。
【０００９】
前記カーシェアリングシステムにおいて、前記イモビライザー機能は、前記カーシェア装置を前記電子キーシステムに登録するときの登録作業で使用されることが好ましい。この構成によれば、カーシェア装置を電子キーシステムに登録するときには、イモビライザー通信を通じて安全に登録作業を行うことができる。
【００１０】
前記カーシェアリングシステムにおいて、登録作業は、前記カーシェア装置が前記携帯端末との通信時に使用する電子キーＩＤ及びキー固有鍵を、前記電子キーシステムの作動を制御する照合ＥＣＵにイモビライザー通信を通じて登録する作業であることが好ましい。この構成によれば、車載機器を作動させるときの通信時に使用する電子キーＩＤ及びキー固有鍵を、安全に電子キーシステムに登録することが可能となる。
【００１１】
前記カーシェアリングシステムにおいて、作業者による登録端末での操作に応じたキー制御要求が当該登録端末から前記カーシェア装置に送信されて当該カーシェア装置が前記電子キーシステムを作動させるとき、前記電子キーシステムによるＩＤ照合時に当該電子キーシステムから送信される送信電波を確認する電波確認部を備え、前記無効処理部は、前記送信電波を正しく受信できたと前記電波確認部により確認されれば、登録作業が正常に完了したと判断して、前記イモビライザー機能を無効にすることが好ましい。この構成によれば、電子キーシステムのＩＤ照合が成立すれば登録が正常に済んだと確実に判断可能であるので、イモビライザー機能の無効化を正しく行うのに一層有利となる。
【００１２】
前記カーシェアリングシステムにおいて、前記キー制御要求は、車両ドアのロックを要求するロック要求であることが好ましい。この構成によれば、登録端末で車両ドアのロック操作を行うという簡易な操作を通じて、カーシェア装置のイモビライザー機能を無効化することが可能となる。
【００１３】
前記カーシェアリングシステムにおいて、前記電子キーシステムは、車両電源の状態に応じた態様で前記送信電波を送信することが好ましい。この構成によれば、車両電源が所望の電源状態をとるときのみ、電子キーシステムから送信電波が送信されて、イモビライザー機能を無効化することが可能となる。よって、電源状態もイモビライザー機能を無効化するか否かの判断に利用されるので、イモビライザー機能の無効化を正しく行うのに一層有利となる。
【００１４】
前記カーシェアリングシステムにおいて、前記送信電波を監視して前記イモビライザー機能を無効にする一連の処理は、前記電子キーシステムが予め有する電子キー車内検知機能を利用して実行されることが好ましい。この構成によれば、新たな部品追加を必要とすることなく、登録端末を用いてカーシェア装置のイモビライザー機能を無効化することが可能となる。
【発明の効果】
【００１５】
本発明によれば、登録が完了していないにも関わらずカーシェア装置のイモビライザー機能を無効に切り替えてしまう状況を生じ難くすることができる。
【図面の簡単な説明】
【００１６】
【図１】一実施形態のカーシェアリングシステムの構成図。
【図２】カーシェア装置の登録処理のシーケンス図。
【図３】鍵情報認証のシーケンス図。
【図４】カーシェア装置のイモビライザーを無効化するときのタイミングチャート。
【図５】作業者が行う登録作業のフローチャート。
【図６】登録作業時にカーシェア装置３４が行う動作のフローチャート。
【発明を実施するための形態】
【００１７】
以下、カーシェアリングシステムの一実施形態を図１〜図６に従って説明する。
図１に示すように、車両（シェア車両）１は、電子キー２との無線によりＩＤ照合を行って車載機器３の作動を実行又は許可する電子キーシステム４を備える。電子キーシステム４は、車両１からの通信を契機に狭域無線によりＩＤ照合を実行するキー操作フリーシステムである。キー操作フリーシステムは、電子キー２を直に操作することなく自動でＩＤ照合（スマート照合）が行われるものである。車載機器３は、例えばドアロック装置５やエンジン６などがある。
【００１８】
車両１は、ＩＤ照合を行う照合ＥＣＵ（Electronic Control Unit）９と、車載電装品の電源を管理するボディＥＣＵ１０と、エンジン６を制御するエンジンＥＣＵ１１とを備える。これらＥＣＵは、車内の通信線１２を介して電気接続されている。通信線１２は、例えばＣＡＮ（Controller Area Network）やＬＩＮ（Local Interconnect Network）である。照合ＥＣＵ９のメモリ１３には、車両１に登録された電子キー２の電子キーＩＤが登録されている。ボディＥＣＵ１０は、車両ドア１４の施解錠を切り替えるドアロック装置５を制御する。
【００１９】
車両１は、室外に電波を送信可能な室外送信機１６と、室内に電波を送信可能な室内送信機１７と、車両１において電波を受信可能な電波受信機１８とを備える。室外送信機１６及び室内送信機１７は、ＬＦ（Low Frequency）帯の電波を送信する。電波受信機１８は、ＵＨＦ（Ultra High Frequency）帯の電波を受信する。電子キーシステム４は、ＬＦ−ＵＨＦの双方向通信となっている。また、電波受信機１８は、車両電源がオフ状態のとき、機能オン（電波受信可）の状態をとり、車両電源がオン状態（例えばＡＣＣオン状態やＩＧオン状態）のとき、機能オフ（電波受信不可）の状態をとる。
【００２０】
電子キー２は、電子キー２の作動を制御するキー制御部２１と、電子キー２において電波を受信する受信部２２と、電子キー２において電波を送信する送信部２３とを備える。受信部２２は、ＬＦ電波を受信可能である。送信部２３は、ＵＨＦ電波を送信可能である。キー制御部２１のメモリ２４には、電子キー２が固有に持つ電子キーＩＤが登録されている。
【００２１】
車両駐車時（車両ドア１４が施錠、かつ車両電源が電源オフ状態）、電子キー２を起動させるウェイク信号が室外送信機１６からＬＦ電波によって送信されているとき、電子キー２は、ウェイク信号の通信エリアに進入して受信すると、待機状態から起動する。このとき、照合ＥＣＵ９は、起動した電子キー２との間でＩＤ照合（室外スマート照合）を開始する。このスマート照合には、例えば電子キーＩＤの正否を確認する電子キーＩＤ照合や、キー固有鍵（暗号鍵）を用いたチャレンジレスポンス認証などが含まれる。照合ＥＣＵ９は、これら照合や認証が成立するとＩＤ照合を成立として処理し、ボディＥＣＵ１０による車両ドア１４の施解錠を実行又は許可する。
【００２２】
照合ＥＣＵ９は、例えばドアカーテシスイッチ２７等によりユーザの乗車を検出すると、室外送信機１６に代えて、室内送信機１７からウェイク信号を送信する。このウェイク信号を電子キー２が受信すると、室外のときと同様のＩＤ照合（室内スマート照合）が開始される。そして、照合ＥＣＵ９は、室内スマート照合が成立することを確認すると、運転席に設けられたエンジンスイッチ２８による電源状態の遷移操作（エンジン始動操作）を許可する。
【００２３】
電子キーシステム４は、車両ドア１４をロック操作するときに電子キー２が車内に置き忘れたままとなっているか否かを検知する電子キー車内検知機能を備える。本例の場合、ボディＥＣＵ１０は、電子キー車内検知機能を実行するキー車内検知部２９を備える。キー車内検知部２９は、例えば車両ドア１４の車外ドアハンドルに設けられたロックボタンが操作されるなどしてドアロック操作が行われたとき、室内スマート照合を実行する。キー車内検知部２９は、ドアロック操作時に室内スマート照合が成立することを確認すると、電子キー２が車内に置き忘れられていると判断して車両ドア１４をロックせず、キー置き忘れの旨を警報する。電子キー２の置き忘れ警報は、例えば車載された警報部３０によって実行する。警報部３０は、例えばブザーやスピーカからなる。
【００２４】
車両１は、１台の車両１を複数人で共有するカーシェアリングシステム３１を備える。本例のカーシェアリングシステム３１は、暗号化された鍵情報Ｋｄをサーバ３２から携帯端末３３に登録し、鍵情報Ｋｄを復号可能な暗号鍵（カーシェア装置固有鍵）を有するカーシェア装置３４が搭載された車両１に対し、車両キー（電子キー）として作動する携帯端末３３から鍵情報Ｋｄを送信してカーシェア装置３４で認証し、その認証が成立すれば、車載機器３の操作が許可されるものである。
【００２５】
カーシェア装置３４は、車両１の電子キーシステム４のハード構成から独立しており、車両１に対し後付けされたものとなっている。カーシェア装置３４は、例えば予約時間内のときのみ有効になる電子キーの位置付けであり、スペアキーと同様の扱いである。そして、車両１の電子キーシステム４（照合ＥＣＵ９）は、カーシェア装置３４のキー機能の有効／無効が切り替えられることにより、車内に電子キーが出現したり消滅したりすると認識する。カーシェア装置３４は、車両１のバッテリ＋Ｂから電源が供給されている。
【００２６】
サーバ３２は、サーバ３２においてカーシェアリングシステム３１の作動を管理するサーバアプリケーション３７と、鍵情報Ｋｄを生成する鍵情報生成部３８とを備える。鍵情報生成部３８は、例えばサーバアプリケーション３７によって機能的に生成される。鍵情報生成部３８は、例えば携帯端末３３から車両予約をネットワーク通信により受け付けたときに鍵情報Ｋｄを生成する。鍵情報Ｋｄは、一時的な使用のみが許可された情報からなり、具体的には、使用が１度のみ許可されたワンタイムキーからなる。
【００２７】
携帯端末３３は、携帯端末３３の作動を制御する端末制御部４２と、携帯端末３３のネットワーク通信を可能とするネットワーク通信モジュール４３と、携帯端末３３の近距離無線通信を可能とする近距離無線モジュール４４と、データ書き替え可能なメモリ４５とを備える。携帯端末３３のメモリ４５には、カーシェア装置３４との近距離無線通信を暗号通信で行う際に使用するユーザ認証鍵が登録される。近距離無線通信は、例えばブルートゥース（Bluetooth：登録商標）であることが好ましい。ユーザ認証鍵は、例えば生成の度に値が毎回変わる乱数からなるものであって、予めカーシェアリングシステム３１に登録されたものでもよいし、或いは車両使用時に生成されて必要な部材に登録されるものでもよい。
【００２８】
携帯端末３３は、携帯端末３３においてカーシェアリングシステム３１の作動を管理するユーザインターフェースアプリケーション４６と、携帯端末３３において車両１をシェアする作動を実行するシェア処理部４７を備える。シェア処理部４７は、端末制御部４２に設けられ、例えばユーザインターフェースアプリケーション４６により機能的に生成される。
【００２９】
カーシェア装置３４は、カーシェア装置３４の作動を制御するコントローラ５０と、カーシェア装置３４のスマート通信を可能とするスマート通信ブロック５１と、カーシェア装置３４の近距離無線通信を可能とする近距離無線モジュール５２と、データ書き替え可能なメモリ５３と、カーシェア装置３４において日時を管理するタイマ部５４とを備える。メモリ５３には、カーシェア装置ＩＤ及びカーシェア装置固有鍵が予め書き込み保存されている。タイマ部５４は、例えばソフトタイマからなる。
【００３０】
カーシェア装置３４は、メモリ５３に鍵情報Ｋｄが登録されている。鍵情報Ｋｄは、例えばサーバ３２で生成されたものが、携帯端末３３を経由してカーシェア装置３４に登録される。鍵情報Ｋｄは、一時的な使用のみが許可された情報からなり、具体的には、使用が１度のみ許可されたワンタイムキーからなる。
【００３１】
カーシェア装置３４は、スマート通信ブロック５１を通じてカーシェア装置３４の通信網を介したＩＤ照合（本例はスマート照合）を実行するキー機能部５６を備える。キー機能部５６は、コントローラ５０に設けられている。キー機能部５６は、複数人によりシェアされる車両１の車載機器３を、電子キー２と同様の処理を経るＩＤ照合を通じて操作可能とする。
【００３２】
カーシェア装置３４は、携帯端末３３で車載機器３を遠隔操作するときに携帯端末３３と通信を実行するユーザ認証機能部５７を備える。ユーザ認証機能部５７は、コントローラ５０に設けられている。ユーザ認証機能部５７は、携帯端末３３で車載機器３が操作されるにあたり、外部（本例はサーバ３２）で生成された鍵情報Ｋｄを携帯端末３３経由で取得し、鍵情報Ｋｄの認証が成立しつつ使用が予約時間内であれば、キー機能部５６を有効にして、車載機器３を操作可能とする。
【００３３】
カーシェアリングシステム３１は、カーシェア装置３４が有するイモビライザー機能を無効化することが可能なイモビライザー無効化機能を備える。ところで、カーシェア装置３４を電子キーシステム４（照合ＥＣＵ９）に登録するにあたってはイモビライザー通信を使用するが、登録作業後もイモビライザー機能を有効としたままにしておくと、この機能が悪用される可能性があり、セキュリティの観点上、好ましくない。その対策として、例えば登録作業後にカーシェア装置３４のイモビライザー機能を自ら無効化させる処理が想定される。
【００３４】
しかし、この対策の場合、登録作業時、仮にノイズ等により登録不成立になってしまったにも関わらずカーシェア装置３４のイモビライザー機能を無条件に無効にしてしまうと、カーシェア装置３４の再登録を実行できず、カーシェア装置３４が無駄になってしまう問題がある。そこで、本例では、カーシェア装置３４を電子キーシステム４に登録する登録作業後、この登録が正常に完了したことを確認できる処理を通じて、カーシェア装置３４のイモビライザー機能を無効化する。
【００３５】
本例の場合、カーシェアリングシステム３１は、イモビライザー無効化機能の作動を実行する無効処理部６０を備える。無効処理部６０は、コントローラ５０に設けられている。本例の無効処理部６０は、カーシェア装置３４を電子キーシステム４（照合ＥＣＵ９）に登録する登録作業後、この登録が正常に完了したことを確認できる処理を通じて、カーシェア装置３４のイモビライザー機能を無効にする。
【００３６】
カーシェア装置３４の登録作業は、カーシェア装置３４が有するカーシェア装置ＩＤ及びカーシェア装置固有鍵を、イモビライザー通信を用いて照合ＥＣＵ９に登録する作業である。また、イモビライザー機能の無効化作業は、カーシェア装置３４が有するイモビライザー機能を使用不可にする作業であり、例えば登録端末６１を使用して実行されることが好ましい。登録端末６１は、例えばディーラ等で管理された端末（例えば高機能携帯電話等）であることが好ましい。
【００３７】
電子キーシステム４の電波受信機１８は、車両電源オフ状態のときに機能オンとなり、車両電源オン状態（ＡＣＣオン状態、ＩＧオン状態）のときに機能オフとなる。これを踏まえ、イモビライザー機能機能は、照合ＥＣＵ９とカーシェア装置３４とのスマート通信が確立するか否かを確認することを通じて、無効可否が判定される。特に、本例のイモビライザー無効化機能は、電子キー車内検知機能を利用して、イモビライザー機能の無効可否を設定する。
【００３８】
カーシェアリングシステム３１は、登録端末６１を使用して車載機器３を操作する一連の作動の過程において、電子キーシステム４から送信される送信電波Ｓｒを確認する電波確認部６２を備える。電波確認部６２は、コントローラ５０に設けられている。本例の電波確認部６２は、作業者による登録端末６１での操作に応じたキー制御要求が登録端末６１からカーシェア装置３４に送信されてカーシェア装置３４が電子キーシステム４を作動させるとき、電子キーシステム４によるＩＤ照合時に電子キーシステム４（室内送信機１７）から送信される送信電波Ｓｒを確認する。無効処理部６０は、送信電波Ｓｒを正しく受信することができれば、登録作業が正常に完了したと判断して、イモビライザー機能を無効にする。
【００３９】
本例の場合、キー制御要求は、車両ドア１４のロックを要求するロック要求である。また、送信電波Ｓｒは、車両ドア１４のロック作動時、車内に電子キー２が存在するか否かを確認するために室内送信機１７から送信される電波である。送信電波Ｓｒは、車両電源がＩＧオフ状態のとき、室内送信機１７から送信され、車両電源がＡＣＣ状態又はＩＧオン状態のとき、室内送信機１７から送信されないものである。具体的には、送信電波Ｓｒは、待機状態のカーシェア装置３４を起動させるウェイク信号や、カーシェア装置３４とのチャレンジレスポンス認証時に送信されるチャレンジコードであることが好ましい。
【００４０】
図２に、カーシェア装置３４の登録処理のシーケンスを図示する。カーシェア装置３４の登録処理は、カーシェア装置３４を車両１に搭載するときに実施され、キー登録ツール６４が使用される。キー登録ツール６４は、カーシェア装置３４をシェア用の車両１に登録するときに使用する専用ツールである。カーシェア装置３４の登録処理時には、キー登録ツール６４を車両１に接続し、キー登録ツール６４で登録操作を実行することにより、カーシェア装置３４を車両１に登録する。
【００４１】
ステップ１０１において、カーシェア装置３４、サーバアプリケーション３７及びキー登録ツール６４は、キー登録ツール６４にカーシェア装置登録要求が入力されたことを契機に、カーシェア装置３４の登録処理を開始する。本例の場合、カーシェア装置３４、サーバアプリケーション３７及びキー登録ツール６４は、製造時に各カーシェア装置３４に付与されたカーシェア装置ＩＤと、カーシェア装置３４を登録する車両１の車両ＩＤとを紐付けする紐付作業を実行する。車両ＩＤは、例えば車両ナンバーである。
【００４２】
ステップ１０２において、キー登録ツール６４は、紐付作業が完了すると、照合ＥＣＵ９に登録されている電子キーＩＤ及びキー固有鍵をカーシェア装置３４に登録する登録作業を実行する。この登録作業は、例えば車載されたイモビライザーシステムを通じて実行されることが好ましい。イモビライザーシステムは、例えばＲＦＩＤ（Radio Frequency IDentification）等の近距離無線通信を通じて、タグ（本例はカーシェア装置３４）の正否を確認するものである。なお、電子キー２を照合ＥＣＵ９に登録するときも、このイモビライザー通信を通じて実行される。
【００４３】
カーシェア装置３４の登録作業は、キー登録ツール６４で登録開始操作がなされるとともに、カーシェア装置３４を車両１の近距離無線アンテナ（図示略）にかざすことで実行される。この場合、カーシェア装置３４は、イモビライザーシステムの通信網を通じて取得要求を照合ＥＣＵ９に送信する。照合ＥＣＵ９は、カーシェア装置３４から取得要求を受信すると、自身に登録されている電子キーＩＤ及びキー固有鍵を、イモビライザーシステムの通信網を通じてカーシェア装置３４に返信する。カーシェア装置３４は、照合ＥＣＵ９から受信した電子キーＩＤ及びキー固有鍵を、自身のメモリ５３に書き込む。
【００４４】
図３に、鍵情報認証のシーケンスを図示する。なお、ここでは、照合ＥＣＵ９のメモリ１３とカーシェア装置３４のメモリ５３とに、それぞれ電子キーＩＤ及びキー固有鍵が予め登録されているとする。また、携帯端末３３のメモリ４５には、サーバ３２に問い合わせを行うことにより、鍵情報生成部３８によって生成された鍵情報Ｋｄ（ワンタイムキー）が予め取得されているものとする。
【００４５】
ステップ２０１において、シェア処理部４７及びユーザ認証機能部５７は、２者間のＢＬＥ（Bluetooth Low Energy）の通信を確立するために通信接続を実行する。このとき、カーシェア装置３４から定期的に送信されるアドバタイズを携帯端末３３が受信すると、携帯端末３３から通信接続要求がカーシェア装置３４に送信される。そして、カーシェア装置３４が携帯端末３３に通信接続確認が送信されると、携帯端末３３及びカーシェア装置３４のＢＬＥ通信が確立する。
【００４６】
ステップ２０２において、ユーザ認証機能部５７は、通信接続（ＢＬＥ接続）が完了すると、携帯端末３３に登録された鍵情報Ｋｄの通知を要求する鍵情報要求を送信する。
ステップ２０３において、シェア処理部４７は、カーシェア装置３４から受信した鍵情報要求に応答して、自身に登録された鍵情報Ｋｄ（カーシェアの使用開始要求）をカーシェア装置３４に通知する鍵情報通知を送信する。このとき、カーシェア装置３４に送信される鍵情報Ｋｄは、カーシェアリングシステム３１に登録された所定の暗号鍵（例えばカーシェア装置固有鍵）により暗号化されて送信される。
【００４７】
ステップ２０４において、シェア処理部４７及びユーザ認証機能部５７は、鍵情報Ｋｄを使用した認証作業を実行する。この認証作業は、例えば鍵情報Ｋｄを正しく復号できることの他に、鍵情報Ｋｄに含まれる種々のパラメータが正しいか否かを確認できることも含む。そして、この認証作業が成立すれば、処理を継続し、認証作業が失敗すれば、ＢＬＥ通信の接続を停止する。
【００４８】
ステップ２０５において、ユーザ認証機能部５７は、認証作業の成立後、キー機能部５６をキー機能オン状態（キー機能部５６を有効）に切り替える。これにより、カーシェア装置３４は、車載された照合ＥＣＵ９との間でＬＦ−ＵＨＦの双方向通信が可能な状態となる。
【００４９】
ステップ２０６において、ユーザ認証機能部５７は、鍵情報Ｋｄをカーシェア装置３４のメモリ５３に保存する。そして、ユーザ認証機能部５７は、認証完了状態に移行する。なお、カーシェア装置３４は、認証完了状態になると、自身の貸出フラグを使用中に設定する。以上により、カーシェア装置３４は、車両ドア施解錠やエンジン始動の操作が可能な状態となる。
【００５０】
ここで、車両ドア１４をロック操作するには、認証完了状態となった後、携帯端末３３にロックボタンを表示させ、これを選択操作する。携帯端末３３においてロック操作が行われると、キー制御要求としてロック要求が携帯端末３３からカーシェア装置３４に近距離無線通信を通じて送信される。カーシェア装置３４は、携帯端末３３からロック要求を受信すると、ロック要求（電子キーＩＤを含む）を自身のスマート通信ブロック５１からＵＨＦ送信する。
【００５１】
照合ＥＣＵ９は、カーシェア装置３４からロック要求を受信すると、これに含まれる電子キーＩＤを照合し、この照合が成立すれば、ボディＥＣＵ１０に車両ドア１４のロック作動を実行させる。これにより、車両ドア１４がロックされる。なお、携帯端末３３で車両ドア１４をアンロック操作する場合は、ロック操作の「ロック」が「アンロック」に代わるだけであるので、説明を省略する。
【００５２】
また、車両１のエンジン６を始動させるには、ブレーキペダルを踏み込み操作したままエンジンスイッチ２８を押し操作する。照合ＥＣＵ９は、前述のエンジン始動操作を検出すると、認証完了状態のカーシェア装置３４との間で室内スマート照合を実行する。照合ＥＣＵ９は、この室内スマート照合が成立することを確認すると、エンジン６の始動操作を許可する。これにより、エンジンスイッチ２８の操作によってエンジン６を始動させることが可能となる。
【００５３】
次に、図４〜図６を用いて、本発明の実施例であるカーシェアリングシステム３１（イモビライザー機能無効化）の作用及び効果を説明する。なお、本例のイモビライザー機能の無効化作業は、車両電源をオフ状態としておくことを前提とする。
【００５４】
ステップ５０１において、登録端末６１は、登録端末６１においてユーザによるロック操作を検出すると、近距離無線通信を通じて、キー制御要求としてのロック要求をカーシェア装置３４に送信する。なお、このときに行うロック操作は、ユーザが携帯端末３３で車両ドア１４をロック状態に切り替えるときと同じ操作である。本例のロック要求は、登録端末６１の近距離無線モジュール６９から、ブルートゥース通信によりカーシェア装置３４に送信される。
【００５５】
ステップ５０２において、ユーザ認証機能部５７は、携帯端末３３から送信されたロック要求を、近距離無線モジュール５２で受信する。そして、ユーザ認証機能部５７は、このロック要求の受信を契機に、電子キーシステム４を通じたロック作動をキー機能部５６に実行させる。
【００５６】
ステップ５０３において、キー機能部５６は、携帯端末３３から送信されたロック要求をカーシェア装置３４で受信したとき、照合ＥＣＵ９にロック作動の開始を要求するロック要求（電子キーＩＤを含む）を、スマート通信ブロック５１からＵＨＦ送信する。また、電波確認部６２は、スマート通信ブロック５１からロック要求を送信した後、このロック要求の応答動作として室内送信機１７からＬＦ送信される送信電波Ｓｒを受信できたか否かを監視する状態に入る。
【００５７】
図４の場合は、車両電源がオフ状態を想定している。よって、ステップ５０４において、電波受信機１８は、車両電源がオフ状態であることにより機能オンの状態をとっているので、カーシェア装置３４から送信されたロック要求を受信する。
【００５８】
ステップ５０５において、照合ＥＣＵ９は、カーシェア装置３４からＵＨＦ送信されたロック要求を受信すると、車両電源オフ状態の場合、電子キー車内検知機能に従い、室内スマート照合を実行する。この室内スマート照合は、電子キーＩＤの正否を確認するＩＤ照合と、キー固有鍵を用いたチャレンジレスポンス認証とを含む。このとき、照合ＥＣＵ９は、室内スマート照合の成立可否を確認するために、室内送信機１７から送信電波Ｓｒを送信する。このときの送信電波Ｓｒは、例えばウェイク信号やチャレンジレスポンスコードであることが好ましい。
【００５９】
ステップ５０６において、照合ＥＣＵ９は、室内送信機１７から送信電波Ｓｒが送信されたとき、これを基に室内スマート照合を実行する。このとき、室内スマート照合が成立すれば、カーシェア装置３４が照合ＥＣＵ９に正しく登録されていると判断できる。すなわち、前述のステップ１０２の登録作業において、照合ＥＣＵ９の電子キーＩＤ及びキー固有鍵が、正常に照合ＥＣＵ９に登録できたと見なせる。従って、無効処理部６０は、作業者によるロック操作に基づきロック要求を送信したとき、この応答として、室内送信機１７から送信電波Ｓｒを正しく受信すること（室内スマート照合が成立すること）を確認できれば、カーシェア装置３４のイモビライザー機能を無効化する。よって、以後、カーシェア装置３４では、イモビライザー通信を行うことができないようになる。
【００６０】
図５に、作業者が行う登録作業のフローチャートを図示する。
ステップ６０１において、作業者は、カーシェア装置３４を照合ＥＣＵ９に登録する登録作業を完了する。すなわち、車両１とカーシェア装置３４との間でイモビライザー通信を実行させ、この通信を通じて、照合ＥＣＵ９の電子キーＩＤ及びキー固有鍵をカーシェア装置３４に登録する。
【００６１】
ステップ６０２において、作業者は、開操作した車両ドア１４を全閉する。これは、車両ドア１４をロック操作するための前段の操作として行う。
ステップ６０３において、作業者は、登録端末６１により車両ドア１４をロック操作する。すなわち、登録端末６１の画面にロックボタン７０を表示し、このロックボタン７０を操作することにより、登録端末６１からロック要求を、近距離無線通信を通じてカーシェア装置３４に送信する。カーシェア装置３４は、登録端末６１からロック要求を受信すると、照合ＥＣＵ９にロック要求（電子キーＩＤを含む）をＵＨＦ送信し、照合ＥＣＵ９（ボディＥＣＵ１０）に車両ドア１４のロック作動（電子キー車内検知機能）を実行させる。
【００６２】
図６に、登録作業時にカーシェア装置３４が行う動作のフローチャートを図示する。
ステップ７０１において、ユーザ認証機能部５７は、カーシェア装置３４を照合ＥＣＵ９に登録する作業のイモビライザー通信が終了したことを確認する。すなわち、照合ＥＣＵ９の電子キーＩＤ及びキー固有鍵をカーシェア装置３４に登録するイモビライザー通信が終了したことを確認する。
【００６３】
ステップ７０２において、ユーザ認証機能部５７は、登録端末６１から送信されるロック要求の受信待ち状態（ロック要求待機状態）に移行する。
ステップ７０３において、ユーザ認証機能部５７は、登録端末６１からロック要求を受信したか否かを判定する。このとき、ロック要求を受信すれば、ステップ７０４に移行し、ロック要求を受信していなければ、ステップ７０２に戻る。
【００６４】
ステップ７０４において、キー機能部５６は、登録端末６１から送信されたロック要求をカーシェア装置３４が受信すれば、スマート通信ブロック５１を通じて、車両１（照合ＥＣＵ９）へロック要求をＵＨＦ送信する。すなわち、電子キーシステム４の通信網を通じて、カーシェア装置３４から照合ＥＣＵ９へロック要求がＵＨＦ送信される。
【００６５】
ステップ７０５において、電波確認部６２は、車両１から送信される送信電波Ｓｒの受信待ち状態（送信電波待機状態）に移行する。
ステップ７０６において、電波確認部６２は、送信電波待機状態において、車両１から送信電波Ｓｒを受信できたか否かを判定する。このとき、送信電波Ｓｒを受信できていれば、ステップ７０７に移行し、送信電波Ｓｒを受信できていなければ、ステップ７０５に戻る。
【００６６】
ステップ７０７において、無効処理部６０は、車両１から送信電波Ｓｒを受信できたことを条件に、カーシェア装置３４のイモビライザー機能を無効化する。これにより、以降、カーシェア装置３４でイモビライザー通信を行うことができなくなるので、カーシェア装置３４のイモビライザー機能が悪用されることがない。
【００６７】
さて、本例の場合、カーシェア装置３４を車両１の電子キーシステム４（照合ＥＣＵ９）に登録するにあたり、この登録が正常に完了したこと（本例は室内スマート照合が成立すること）を確認した上で、カーシェア装置３４のイモビライザー機能を無効化する。よって、登録が完了していないにも関わらずカーシェア装置３４のイモビライザー機能を無効に切り替えてしまう状況を生じ難くすることができる。
【００６８】
イモビライザー機能は、カーシェア装置３４を電子キーシステム４（照合ＥＣＵ９）に登録するときの登録作業で使用される。よって、カーシェア装置３４を電子キーシステム４に登録するときには、イモビライザー通信を通じて安全に登録作業を行うことができる。
【００６９】
登録作業は、カーシェア装置３４が携帯端末３３との通信時に使用する電子キーＩＤ及びキー固有鍵を、電子キーシステム４の作動を制御する照合ＥＣＵ９にイモビライザー通信を通じて登録する作業である。よって、車載機器３を作動させるときの通信時に使用する電子キーＩＤ及びキー固有鍵を、安全に電子キーシステム４に登録することが可能となる。
【００７０】
無効処理部６０は、送信電波Ｓｒを正しく受信できたと電波確認部６２により確認されれば、登録作業が正常に完了したと判断して、イモビライザー機能を無効にする。このように、送信電波Ｓｒの受信が正しく受信できれば、それは電子キーシステム４のＩＤ照合が成立したと判断可能であるので、イモビライザー機能の無効化を正しく行うのに一層有利となる。
【００７１】
キー制御要求は、車両ドア１４のロックを要求するロック要求である。よって、登録端末６１で車両ドア１４のロック操作を行うという簡易な操作を通じて、カーシェア装置３４のイモビライザー機能を無効化することができる。
【００７２】
電子キーシステム４は、車両電源の状態に応じた態様で送信電波Ｓｒを送信する。本例の場合、車両電源が所望の電源状態（例えば電源オフ状態）をとるときのみ、電子キーシステム４（室内送信機１７）から送信電波Ｓｒが送信されて、イモビライザー機能を無効化することが可能となる。よって、電源状態もイモビライザー機能を無効化するか否かの判断に利用されるので、イモビライザー機能の無効化を正しく行うのに一層有利となる。
【００７３】
送信電波Ｓｒを監視してイモビライザー機能を無効にする一連の処理は、電子キーシステム４が予め有する電子キー車内検知機能を利用して実行される。よって、新たな部品追加を必要とすることなく、登録端末６１を用いてカーシェア装置３４のイモビライザー機能を無効化することができる。
【００７４】
なお、実施形態はこれまでに述べた構成に限らず、以下の態様に変更してもよい。
・イモビライザー機能の無効化は、電子キーシステム４の通信（室内スマート照合）を利用した構成に限定されない。例えば、車載機器３としての車外ドアハンドルを所定パターンで操作することによりイモビライザー機能を無効化するなど、他の方式に適宜変更できる。
【００７５】
・イモビライザー機能の無効化は、車載された装置（機器）を使用した態様に限定されない。例えば、専用の登録ツールを用いてカーシェア装置３４のイモビライザー機能を無効にするなど、種々の態様に変更可能である。
【００７６】
・登録作業が正常に完了したことを確認できる処理は、電子キーシステム４のスマート照合成立（室内スマート照合）に限定されず、種々の態様に変更可能である。
・登録作業は、カーシェア装置３４を既設の電子キーシステム４に登録する作業であれば、実施例以外の他の態様に変更可能である。
【００７７】
・登録端末６１は、例えばユーザの携帯端末３３など、他の端末に変更してもよい。
・送信電波Ｓｒを監視してイモビライザー機能を無効にする一連の処理は、電子キーシステム４が予め有する電子キー車内検知機能を利用した構成に限定されず、これとは別の独立したものとしてもよい。
【００７８】
・イモビライザー機能を無効化するときのトリガとなるキー制御要求は、ロック要求に限定されず、例えばエンジン始動の許可又は実行を要求するエンジン始動許可要求など、他の要求に変更可能である。
【００７９】
・カーシェア装置３４を照合ＥＣＵ９に登録するとき、これはイモビライザー通信を用いた処理であれば、その処理内容は適宜変更可能である。
・送信電波Ｓｒは、室内送信機１７から送信されることに限定されず、車載されたアンテナから送信されればよい。
【００８０】
・携帯端末３３と登録端末６１は、同一の端末でもよい。
・カーシェア装置３４の登録処理は、キー登録ツール６４を用いた処理に限定されず、これを使用しない処理としてもよい。
【００８１】
・鍵情報Ｋｄは、カーシェア装置固有鍵により暗号化されて付与されることに限定されず、他の暗号鍵を使用して付与されてもよい。
・鍵情報Ｋｄに含ませる内容は、実施例以外の態様に変更可能である。
【００８２】
・Ｓ２０４の認証作業（鍵情報Ｋｄを用いた認証）は、実施例で述べた例に限定されず、他の態様に変更可能である。
・鍵情報Ｋｄは、サーバで生成されることに限定されず、外部であれば、いずれの場所でもよい。
【００８３】
・操作フリーの電子キーシステム４は、車内外に送信機を配置して電子キー２の位置を確認しながらスマート照合を行うシステムに限定されない。例えば、車体の左右にＬＦアンテナを配置し、これらアンテナから送信される電波に対する電子キー２の応答を確認することで、電子キーの車内外位置を判定するシステムでもよい。
【００８４】
・車載される電子キーシステム４は、例えば電子キー２からの通信を契機にＩＤ照合が実行されるワイヤレスキーシステムとしてもよい。
・電子キー２は、スマートキー（登録商標）に限定されず、ワイヤレスキーとしてもよい。
【００８５】
・近距離無線通信は、ブルートゥース通信に限定されず、他の通信方式に変更可能である。
・各々の通信に使用する通信方式や周波数は、実施形態に述べた例に限定されず、他に変更可能である。
【００８６】
・電子キーシステム４に課すＩＤ照合は、チャレンジレスポンス認証を含む照合に限定されず、少なくとも電子キーＩＤ照合を行うものであればよく、どのような認証や照合を含んでいてもよい。
【００８７】
・鍵情報Ｋｄは、ワンタイムキーに限定されず、使用が制限された情報であればよい。
・暗号通信に使用する暗号鍵は、例えばカーシェア装置固有鍵、ユーザ認証鍵、キー固有鍵のうち、どの暗号鍵を使用してもよい。例えば、処理の途中で使用する暗号鍵を切り替えれば、通信のセキュリティ性を確保するのに有利となる。また、使用する暗号鍵は、前述した鍵に限定されず、種々のものに変更してもよい。
【００８８】
・カーシェア装置３４の搭載場所は、特に限定されない。
・携帯端末３３は、高機能携帯電話に限定されず、種々の端末に変更可能である。
次に、上記実施形態及び別例から把握できる技術的思想について、それらの効果とともに以下に追記する。
【００８９】
（イ）前記カーシェアリングシステムにおいて、前記鍵情報は、使用が１度のみ許可されたワンタイムキーからなることが好ましい。この構成によれば、鍵情報を一度のみ使用できるものとしたので、車両使用に対するセキュリティ性を確保することが可能となる。
【００９０】
（ロ）前記カーシェアリングシステムにおいて、前記鍵情報は、前記カーシェア装置が個々に有する固有のカーシェア装置固有鍵によって暗号化されていることが好ましい。この構成によれば、鍵情報は暗号通信で送付されるので、鍵情報を付与する際のセキュリティ性を確保することが可能となる。
【００９１】
（ハ）前記カーシェアリングシステムにおいて、前記鍵情報は、ネットワーク通信を通じて前記車両のシェアを管理するサーバで生成されることが好ましい。この構成によれば、鍵情報をサーバにて安全に生成することが可能となる。
【００９２】
（二）前記カーシェアリングシステムにおいて、前記キー機能部が電子キーシステムとＩＤ照合するときに行う暗号通信と、前記携帯端末により前記車両を操作するときに前記ユーザ認証機能部及び前記携帯端末が行う暗号通信とは、機能的に分離されていることが好ましい。この構成によれば、これら暗号通信のうち、一方の暗号鍵が盗み取られても、これが他方の暗号通信に使用できるものとはならない。よって、車両使用に対するセキュリティ性を確保するのに一層有利となる。
【符号の説明】
【００９３】
１…車両（シェア車両）、２…電子キー、３…車載機器、４…電子キーシステム、９…照合ＥＣＵ、１４…車両ドア、１７…室内送信機、３１…カーシェアリングシステム、３３…携帯端末、３４…カーシェア装置、５６…キー機能部、５７…ユーザ認証機能部、６０…無効処理部、６１…登録端末、６２…電波確認部、Ｋｄ…鍵情報、Ｓｒ…送信電波。
【図１】
2019012339.tif 000003
【図２】
2019012339.tif 000004
【図３】
2019012339.tif 000005
【図４】
2019012339.tif 000006
【図５】
2019012339.tif 000007
【図６】
2019012339.tif 000008